(57)【要約】【課題】サーミスタ管がサーミスタ取付管から抜けるおそれを低減することができるサーミスタの提供。【解決手段】サーミスタは、サーミスタ管と、サーミスタ取付管１１と、板バネ部材と、を備える。サーミスタ管は、外周面に溝２４が形成されている。サーミスタ取付管１１は、サーミスタ管が挿入方向に挿入される。板バネ部材は、付勢部３２を有する。付勢部３２は、サーミスタ取付管１１の内面の一部に接触してサーミスタ取付管１１の内面の他部にサーミスタ管を押し付ける。また、板バネ部材のサーミスタ管に接触する部分には、溝２４に嵌る突出部３２ａが形成されている。【選択図】図４
2012169527.tif 000002
【特許請求の範囲】
【請求項１】
外面に溝（２４）が形成されているサーミスタ管（２０）と、
前記サーミスタ管が挿入方向（Ｘ）に挿入されるサーミスタ取付管（１１）と、
前記サーミスタ取付管の内面の一部に接触して前記サーミスタ取付管の内面の他部に前記サーミスタ管を押し付ける付勢部（３２）を有する板バネ部材（３０）と、
を備え、
前記板バネ部材の前記サーミスタ管に接触する部分には、前記溝に嵌る突出部（３２ａ，２３２ａ，３３２ａ）が形成されている、
サーミスタ（１０）。
【請求項２】
前記付勢部は、略くノ字状に屈折しており、
前記突出部は、前記付勢部の先端部に位置している、
請求項１に記載のサーミスタ。
【請求項３】
前記板バネ部材は、前記サーミスタ取付管の端部に係止する係止部（１３４）を更に有する、
請求項１又は２に記載のサーミスタ。
【請求項４】
前記突出部は、断面形状が略くノ字状に形成されており、
前記サーミスタ管の前記サーミスタ取付管に対する挿入方向を第１方向とすると、前記突出部の断面において、前記第１方向上流側の外角の角度（θ１）は、前記第１方向下流側の外角の角度（θ２）よりも大きい、
請求項１から３のいずれか１項に記載のサーミスタ。
【請求項５】
前記突出部は、前記溝側に向かって切り起こされた切り起こしである、
請求項１から３のいずれか１項に記載のサーミスタ。
【発明の詳細な説明】
【技術分野】
【０００１】
本発明は、サーミスタに関する。
【背景技術】
【０００２】
従来より、例えば、空気調和機において、冷媒回路内を循環する冷媒の温度を検出する手段の１つとして、サーミスタ管がサーミスタ取付管に挿入された構成を有する感温筒内挿入型のサーミスタを用いることがある。感温筒内挿入型のサーミスタとしては、例えば、特許文献１（実願昭６１−５６１６５号）に記載されているものがある。この特許文献１には、従来技術として、筒体（サーミスタ取付管に相当）に、ばね成形による固定具が取り付けられており、感温体（サーミスタ管に相当）が固定具を介して筒体内に嵌挿配置されたサーミスタが記載されている。このサーミスタでは、固定具の弾性により、感温体を筒体の一側方に密着させることで、筒体の温度を検出できるようになっている。このような構成により、筒体を冷媒回路の管壁近傍に配置することで、冷媒温度を間接的に検出することができる。
【発明の概要】
【発明が解決しようとする課題】
【０００３】
しかしながら、特許文献１に記載の固定具のような板バネ部材では、成形のばらつきによって、サーミスタ管をサーミスタ取付管に挿入し難くなる一方で、サーミスタ管がサーミスタ取付管から抜けやすくなることがあり、サーミスタ管がサーミスタ取付管から抜けてしまうことがある。
【０００４】
そこで、本発明の課題は、サーミスタ管がサーミスタ取付管から抜けるおそれを低減することができるサーミスタを提供することにある。
【課題を解決するための手段】
【０００５】
本発明の第１観点に係るサーミスタは、サーミスタ管と、サーミスタ取付管と、板バネ部材と、を備える。サーミスタ管は、外面に溝が形成されている。サーミスタ取付管は、サーミスタ管が挿入方向に挿入される。板バネ部材は、付勢部を有する。付勢部は、サーミスタ取付管の内面の一部に接触してサーミスタ取付管の内面の他部にサーミスタ管を押し付ける。また、板バネ部材のサーミスタ管に接触する部分には、溝に嵌る突出部が形成されている。
【０００６】
本発明の第１観点に係るサーミスタでは、サーミスタ管の外面に溝が形成されており、板バネ部材のサーミスタ管に接触する部分に、溝に嵌る突出部が形成されている。このため、板バネ部材の突出部がサーミスタ管の溝に嵌ることで、サーミスタ管をサーミスタ取付管から抜け難くすることができる。
【０００７】
これによって、サーミスタ管がサーミスタ取付管から抜けるおそれを低減することができる。
【０００８】
本発明の第２観点に係るサーミスタは、第１観点のサーミスタにおいて、付勢部は、略くノ字状に屈折している。また、突出部は、付勢部の先端部に位置している。このサーミスタでは、板バネ部材においてサーミスタ管に対する付勢力の大きい部分に突出部が設けられているため、突出部をサーミスタ管の溝から抜け難くすることができる。
【０００９】
本発明の第３観点に係るサーミスタは、第１観点又は第２観点のサーミスタにおいて、板バネ部材は、サーミスタ取付管の端部に係止する係止部を更に有する。このため、このサーミスタでは、板バネ部材の係止部がサーミスタ取付管の端部に係止するため、サーミスタ管をサーミスタ取付管から抜いても、板バネ部材をサーミスタ取付管から抜け難くすることができる。
【００１０】
本発明の第４観点に係るサーミスタは、第１観点から第３観点のいずれかのサーミスタにおいて、突出部は、断面形状が略くノ字状に形成されている。また、サーミスタ管のサーミスタ取付管に対する挿入方向を第１方向とすると、突出部の断面において、第１方向上流側の外角の角度は、第１方向下流側の外角の角度よりも大きい。このサーミスタでは、突出部の断面において、第１方向上流側の外角の角度が、第１方向下流側の外角の角度よりも大きいため、サーミスタ管をサーミスタ取付管に挿入する際の挿入力を小さくすることができ、かつ、サーミスタ管をサーミスタ取付管から抜け難くすることができる。
【００１１】
本発明の第５観点に係るサーミスタは、第１観点から第３観点のいずれかのサーミスタにおいて、突出部は、溝側に向かって切り起こされた切り起こしである。このため、このサーミスタでは、簡易な構成によって、板バネ部材に突出部を形成することができる。
【発明の効果】
【００１２】
本発明の第１観点に係るサーミスタでは、サーミスタ管がサーミスタ取付管から抜けるおそれを低減することができる。
【００１３】
本発明の第２観点に係るサーミスタでは、突出部がサーミスタ管の溝から抜け難くすることができる。
【００１４】
本発明の第３観点に係るサーミスタでは、サーミスタ管をサーミスタ取付管から抜いても、板バネ部材をサーミスタ取付管から抜けにくくすることができる。
【００１５】
本発明の第４観点に係るサーミスタでは、サーミスタ管をサーミスタ取付管に挿入する際の挿入力を小さくすることができ、かつ、サーミスタ管がサーミスタ取付管から抜け難くすることができる。
【００１６】
本発明の第５観点に係るサーミスタでは、簡易な構成によって、板バネ部材に突出部を形成することができる。
【図面の簡単な説明】
【００１７】
【図１】室内熱交換器から延びる冷媒管に取り付けられたサーミスタの外観図。
【図２】サーミスタの縦断面図。
【図３】サーミスタを構成する部品の部品図であって、（ａ）サーミスタ取付管、（ｂ）サーミスタ管、（ｃ）板バネ部材の外観図。
【図４】サーミスタの縦断面図であって、溝部及び突出部を含む部分の部分拡大図。
【図５】変形例Ａに係るサーミスタであって、（ａ）サーミスタの縦断面図、（ｂ）サーミスタの部分拡大図。
【図６】変形例Ｂに係るサーミスタであって、（ａ）サーミスタの縦断面図、（ｂ）板バネ部材の突出部の概略図。
【図７】変形例Ｃに係るサーミスタの縦断面図であって、溝部及び突出部を含む部分の部分拡大図。
【発明を実施するための形態】
【００１８】
以下、図面を参照しながら、本発明の一実施形態に係るサーミスタ１０について説明する。なお、以下の実施形態は、本発明の具体例であって、本発明の技術的範囲を限定するものではない。
【００１９】
（１）サーミスタの概略構成
本発明のサーミスタ１０は、例えば、空気調和機において冷媒回路内を循環する冷媒の温度検出に使用されるものであって、冷媒回路を構成する冷媒配管等に取り付けられている。なお、本実施形態では、サーミスタ１０は、図１に示すように、室内熱交換器５０から延びる冷媒管５１に取り付けられている。また、サーミスタ１０は、図２及び図３に示すように、サーミスタ管２０と、サーミスタ取付管１１と、板バネ部材３０と、を備えている。以下に、サーミスタ１０の備える各構成部品について説明する。
【００２０】
（１−１）サーミスタ取付管
サーミスタ取付管１１は、長手方向両端部に開口１２，１３を有する筒状に形成されている。なお、以下より、説明の便宜上、サーミスタ取付管１１の一方の開口を第１開口１２といい、サーミスタ取付管１１の他方の開口を第２開口１３という（図３（ａ）参照）。第１開口１２は、サーミスタ管２０を、サーミスタ取付管１１内に挿入するための開口である。
【００２１】
（１−２）サーミスタ管
サーミスタ管２０は、外郭部２１と、感温部２２と、リード線２３と、を有する。感温部２２は、周囲の温度を検知する素子である。リード線２３は、感温部２２に対して電気的に接続されており、感温部２２で検知された温度を、電気信号として伝達する。また、リード線２３の一部、及び、感温部２２は、外郭部２１内に位置している（図３（ｂ）参照）。
【００２２】
外郭部２１は、略円柱形状の外形を呈する部材である。また、外郭部２１の外面、すなわち、外周面には、図３（ｂ）に示すように、溝２４が形成されている。なお、溝２４は、外郭部２１において感温部２２が位置する部分から離れた位置に設けられており、本実施形態では、感温部２２よりもリード線２３の延びている側の端部に近い位置に設けられている。
【００２３】
（１−３）板バネ部材
板バネ部材３０は、適度な弾性部材、例えば、樹脂や金属等によって構成されている。また、板バネ部材３０は、図３（ｃ）に示すように、基部３１と、付勢部３２と、当接部３３と、を有する。
【００２４】
基部３１は、板バネ部材３０がサーミスタ取付管１１に取り付けられた状態で、サーミスタ取付管１１内部から外部に延びている部分である。また、基部３１は、サーミスタ取付管１１の第１開口１２周縁部分に係止する係止部３１ａを有する。当接部３３は、サーミスタ管２０がサーミスタ取付管１１に挿入された際に、サーミスタ管２０の端面２１ａに当接する部分であり、サーミスタ管２０の挿入方向Ｘへの移動を規制する。
【００２５】
付勢部３２は、図３（ｃ）に示すように、略くノ字状を呈しており、サーミスタ管２０がサーミスタ取付管１１内に挿入された状態で、サーミスタ取付管１１の内面の一部に接触し、サーミスタ管２０を、サーミスタ取付管１１の内面の他部に押し付けるように構成されている。さらに、付勢部３２の先端部には、図４に示すように、突出部３２ａが設けられている。なお、ここでいう先端部とは、付勢部３２において最も曲率の大きい部分のことである。突出部３２ａは、図４に示すように、その断面が略くノ字状を呈しており、サーミスタ管２０の溝２４に嵌るように形成されている。また、サーミスタ管２０の端面２１ａから溝２４までの寸法と、付勢部３２の端部３２ｂから突出部３２ａまでの寸法とは、略同一となるように構成されている。このため、サーミスタ管２０がサーミスタ取付管１１内に挿入され、サーミスタ管２０の端面２１ａが当接部３３に接触すると同時に、突出部３２ａが溝２４に嵌ることになる。
【００２６】
なお、本実施形態では、突出部３２ａは付勢部３２の先端部に設けられているが、これに限定されず、サーミスタ管２０の溝２４に嵌るのであれば、突出部が板バネ部材のいずれの部分に設けられていてもよい。次に、サーミスタ１０の取付手順について説明する。
【００２７】
（２）サーミスタの取付手順
先ず、冷媒管５１に固定された状態のサーミスタ取付管１１の第１開口１２から、サーミスタ取付管１１内に板バネ部材３０を挿入し、板バネ部材３０の係止部３１ａを、サーミスタ取付管１１の第１開口１２周縁部分に係止する。
【００２８】
次に、サーミスタ取付管１１の第１開口１２からサーミスタ管２０を挿入方向Ｘに挿入する。このとき、サーミスタ管２０は、板バネ部材３０の付勢部３２によって、サーミスタ取付管１１の他部に押圧付勢されている。そして、サーミスタ管２０の端面２１ａが当接部３３に接触し、かつ、板バネ部材３０の突出部３２ａがサーミスタ管２０の溝２４に嵌るまで、サーミスタ管２０をサーミスタ取付管１１内に挿入することで、サーミスタ１０の取付作業が完了する。
【００２９】
（３）特徴
（３−１）
従来の感温筒内挿入型のサーミスタでは、板バネ部材の成形ばらつきによって、サーミスタ管がサーミスタ取付管から抜けてしまうことがある。
【００３０】
そこで、本実施形態では、サーミスタ管２０の外郭部２１の外周面に溝２４が形成されており、板バネ部材３０のサーミスタ管２０に接触する部分である付勢部３２に、サーミスタ管２０の溝２４に嵌る突出部３２ａが形成されている。このため、サーミスタ管２０がサーミスタ取付管１１内に挿入され、板バネ部材３０の突出部３２ａがサーミスタ管２０の溝２４に嵌ることで、サーミスタ管２０をサーミスタ取付管１１から抜け難くすることができる。
【００３１】
これにより、サーミスタ１０を構成する各部品（例えば、板バネ部材３０）に成形ばらつきがあったとしても、サーミスタ管２０がサーミスタ取付管１１から抜けるおそれを低減することができている。
【００３２】
また、従来の感温筒内挿入型のサーミスタでは、サーミスタ管がサーミスタ取付管から抜けないように、タイラップ等の固定部材で固定されているものがあるが、このような場合には、サーミスタを取り付ける際に、サーミスタ管とサーミスタ取付管とを固定部材で固定する作業が発生する。これに対して、本実施形態では、サーミスタ管２０の溝２４に板バネ部材３０の突出部３２ａが嵌ることで、サーミスタ管２０がサーミスタ取付管１１から抜け難くすることができるため、サーミスタ１０取付時に固定部材を用いた固定作業をなくすことができる。これにより、サーミスタ取付時にタイラップ等の固定部材が用いられる場合と比較して、サーミスタ１０取付時の工数を増加させないようにすることができている。
【００３３】
（３−２）
本実施形態では、付勢部３２は、略くノ字状に屈折している。また、突出部３２ａは、付勢部３２の先端部に位置している。このように、板バネ部材３０においてサーミスタ管２０に対する付勢力の最も大きい部分に突出部３２ａが設けられていることで、突出部３２ａをサーミスタ管２０の溝２４から抜け難くすることができている。
【００３４】
（３−３）
本実施形態では、サーミスタ管２０の端面２１ａから溝２４までの寸法と、付勢部３２の端部３２ｂから突出部３２ａまでの寸法とは、略同一となるように構成されている。このため、サーミスタ管２０がサーミスタ取付管１１内に挿入され、サーミスタ管２０の端面２１ａが当接部３３に接触すると同時に、突出部３２ａが溝２４に嵌ることになる。したがって、サーミスタ１０の取付作業者は、サーミスタ管２０のサーミスタ取付管１１への挿入時に、板バネ部材３０の突出部３２ａがサーミスタ管２０の溝２４に嵌るクリック感を得ることで、取付が完了したこと（挿入完了）を判断することができる。
【００３５】
（４）変形例
（４−１）変形例Ａ
上記実施形態では、板バネ部材３０は、基部３１と付勢部３２と当接部３３とから構成されている。
【００３６】
これに代えて、図５に示すように、板バネ部材１３０が、当接部１３３よりも挿入方向Ｘ下流側に、サーミスタ取付管１１に取付られた際にサーミスタ取付管１１の端部に係止する係止部１３４を有していてもよい。このように、板バネ部材１３０が係止部１３４を有する場合には、板バネ部材の係止部１３４がサーミスタ取付管１１の端部に係止することで、板バネ部材１３０をサーミスタ取付管１１から抜け難くすることができる。これによって、サーミスタ管２０がサーミスタ取付管１１から抜けるおそれをさらに低減することができる。
【００３７】
（４−２）変形例Ｂ
上記実施形態では、突出部３２ａは、図４に示すように、突出部３２ａの断面において、挿入方向Ｘを第１方向とすると、第１方向上流側の外角の角度と、第１方向下流側の外角の角度とが略同一となるように構成されている。
【００３８】
これに代えて、突出部の断面において、第１方向上流側の外角の角度と、第１方向下流側の外角の角度とが異なるように突出部が構成されていてもよい。
【００３９】
ここで、図６（ａ）は、変形例Ｂに係るサーミスタの部分拡大図であり、図６（ｂ）は、変形例Ｂに係る突出部２３２ａの概略図である。
【００４０】
例えば、突出部２３２ａの断面形状が、略くノ字状に形成されており、図６に示すように、突出部２３２ａの断面において、第１方向上流側の外角の角度θ１が、第１方向下流側の外角の角度θ２よりも大きくなるように、突出部２３２ａが形成されていてもよい。突出部２３２ａがこのような構成である場合には、突出部２３２ａの第１方向上流側の傾斜が緩やかであるためサーミスタ管２０をサーミスタ取付管１１に挿入する際の挿入力を小さくすることができ、かつ、突出部２３２ａの第１方向下流側の傾斜がきついためサーミスタ管２０をサーミスタ取付管１１から抜け難くすることができる。
【００４１】
（４−３）変形例C
上記実施形態では、突出部３２ａは、図４に示すように、その断面が略くノ字状を呈している。
【００４２】
これに代えて、突出部３３２ａが、図７に示すように、溝２４側に向かって切り起こされた切り起こしであってもよい。突出部３３２ａが切り起こしで形成される場合には、簡易な構成によって、板バネ部材３３０に突出部３３２ａを形成することができる。これにより、簡易な構成で、サーミスタ管２０がサーミスタ取付管１１から抜けるおそれを低減することができる。
【産業上の利用可能性】
【００４３】
本発明は、サーミスタ管がサーミスタ取付管から抜けるおそれを低減することができるサーミスタの発明であり、感温筒内挿入型のサーミスタへの適用が有効である。
【符号の説明】
【００４４】
１０    サーミスタ
１１    サーミスタ取付管
２０    サーミスタ管
２４    溝
３０    板バネ部材
３２    付勢部
１３４    係止部
３２ａ，２３２ａ，３３２ａ  突出部
【先行技術文献】
【特許文献】
【００４５】
【特許文献１】実願昭６１−５６１６５号
【図１】
2012169527.tif 000003
【図２】
2012169527.tif 000004
【図３】
2012169527.tif 000005
【図４】
2012169527.tif 000006
【図５】
2012169527.tif 000007
【図６】
2012169527.tif 000008
【図７】
2012169527.tif 000009